(57)【要約】【課題】  利用者の携帯端末１が公衆無線ＬＡＮに接続するために、携帯端末１に通信関連の設定を行わせることなく公衆無線ＬＡＮ接続サービス装置を提供できるようにする。【解決手段】  利用券３は、携帯端末１と双方向通信を行う無線ＩＣインタフェース部と第1通信プログラム送信手段３５ａとを備え、発券機５は、認証サーバ４と通信ネットワークを介して接続され、通信プログラムと第1利用券発行手段５１ａとを備え、携帯端末１は、利用券３と双方向通信を行う無線ＩＣインタフェース部とアクセスポイント２と双方向通信を行う無線ＬＡＮインタフェース部と第1端末情報送信手段１８ａと通信関連設定手段１８ｂとを備え、アクセスポイント２は、携帯端末１と双方向通信を行うための無線ＬＡＮインタフェース部と認証要求手段２１ａと認証結果情報送信手段２１ｂとを備えている。【選択図】  図１
2005269267.tif 000002
【特許請求の範囲】
【請求項１】
携帯端末が公衆無線ＬＡＮ(Local Area Network)に接続するために、無線ＩＣ(Integrated Circuit)タグを付加して当該携帯端末に通信関連の設定を行うための利用券と、該利用券を発行する発券機とを備え、前記携帯端末の利用者に前記通信関連の設定サービスを提供する公衆無線ＬＡＮ接続サービス装置であって、
前記利用券は、前記携帯端末と双方向通信を行うための無線ＩＣインタフェース部と、メモリ部とを備え、
前記発券機は、前記携帯端末の機種種別毎に対応した前記通信関連の通信プログラムと、
前記利用者が前記利用券を購入する際に、前記通信プログラムを前記利用券の前記メモリ部に登録し、該利用券を発行するための第1利用券発行手段とを備え、
前記携帯端末は、前記利用券と双方向通信を行うための無線ＩＣインタフェース部と、当該携帯端末の機種種別を含む端末情報を少なくとも登録するため端末メモリ部と、
前記端末情報を前記利用券に送信するための第1端末情報送信手段とを備え、
また、前記利用券は、前記携帯端末からの前記端末情報を受信し、該端末情報の前記機種種別に基づいて、前記メモリ部から対応する前記通信プログラムを取得し、該通信プログラムを前記携帯端末に送信するための第1通信プログラム送信手段を更に備え、
また、前記携帯端末は、前記第1通信プログラム送信手段で送信した前記通信プログラムを受信して、該通信プログラムを前記端末メモリ部に登録すると共に、該通信プログラムを起動して当該携帯端末に前記通信関連の設定を行うための通信関連設定手段を更に備えてなることを特徴とする公衆無線ＬＡＮ接続サービス装置。
【請求項２】
前記発券機は、前記利用者の認証情報を生成して管理する認証サーバと通信ネットワークを介して接続され、
前記第1利用券発行手段は、前記利用者が前記利用券を購入する際に、前記認証サーバに対して、前記認証情報の生成を要求し、生成した認証情報を受信して、該認証情報を付加した前記通信プログラムを前記利用券の前記メモリ部に登録し、該利用券を発行することを特徴とする請求項１記載の公衆無線ＬＡＮ接続サービス装置。
【請求項３】
前記携帯端末は、通信ネットワーク上の複数の装置と接続されたアクセスポイントと双方向通信を行うための無線ＬＡＮインタフェース部と、
前記通信関連設定手段からの前記通信関連の設定完了通知に応答して、前記通信プログラムが前記アクセスポイントに接続するためのＡＰ接続手段と、
前記ＡＰ接続手段からの前記接続完了通知を応答して、前記通信プログラムに付加された前記認証情報を前記アクセスポイントに送信するための認証情報送信手段とを更に備え、
前記アクセスポイントは、前記携帯端末と双方向通信を行うための無線ＬＡＮインタフェース部と、
前記携帯端末からの前記認証情報を受信して、該認証情報を前記認証サーバに送信するための認証要求手段と、
前記認証サーバからの前記認証情報に対する認証結果情報を受信して、該認証結果情報を該認証結果情報が属する前記携帯端末に送信するための認証結果情報送信手段とを備えていることを特徴とする請求項１又は２記載の公衆無線ＬＡＮ接続サービス装置。
【請求項４】
前記携帯端末の前記端末情報は、前記携帯端末を他の前記携帯端末と区分した端末識別コードを更に含み、
前記利用券の前記メモリ部は、前記第1通信プログラム送信手段で、前記携帯端末からの前記端末情報を最初に受信した際に、取得した前記端末識別コードを更に含み、
前記第1通信プログラム送信手段は、前記携帯端末からの前記端末情報を受信した際に、該端末情報の前記端末識別コードと前記メモリ部の前記端末識別コードとを照合するための端末情報照合手段を更に含み、
該端末情報照合手段の照合結果が一致の場合のみ、受信した前記端末情報の前記機種種別に基づいて、前記メモリ部から対応する前記通信プログラムを取得し、該通信プログラムを前記携帯端末に送信し、前記端末情報照合結果が不一致の場合は、前記通信プログラムを前記携帯端末に送信しないことを更に含んでいることを特徴とする請求項１、２又は３記載の公衆無線ＬＡＮ接続サービス装置。
【請求項５】
前記発券機は、前記携帯端末と双方向通信を行うための無線ＩＣインタフェース部と、
前記利用者が前記利用券を購入する際に、前記認証サーバに対して、前記認証情報の生成を要求し、生成した認証情報を受信して、該認証情報を前記利用券の前記メモリ部に登録し、該利用券を発行するための第２利用券発行手段とを備え、
前記携帯端末は、前記発券機と双方向通信を行うための無線ＩＣインタフェース部と、
前記利用券からの前記認証情報を受信するための認証情報受信手段と、
前記認証情報受信手段で受信した前記認証情報と前記端末情報とを前記発券機に送信するための第２端末情報送信手段とを備え、
また、前記発券機は、前記携帯端末からの前記認証情報と前記端末情報とを受信して、該端末情報の前記機種種別に基づいて、対応する前記通信プログラムを取得し、該通信プログラムに受信した前記認証情報を付加して前記携帯端末に送信するための第２通信プログラム送信手段を備えていることを特徴とする請求項１乃至４の何れか１つに記載の公衆無線ＬＡＮ接続サービス装置。
【請求項６】
前記携帯端末は、通信ネットワークを介して、前記通信プログラムを提供元である提供サーバと更に接続され、
前記提供サーバは、前記携帯端末の機種種別毎に対応した前記通信関連の通信プログラムを備え、
前記発券機は、前記携帯端末が前記提供サーバに接続する際のネットワークアドレスを含むアドレス情報と、
前記利用者が前記利用券を購入する際に、前記認証サーバに対して、前記認証情報の生成を要求し、生成した認証情報を受信して、該認証情報と前記アドレス情報とを前記利用券の前記メモリ部に登録し、該利用券を発行するための第３利用券発行手段とを備え、
前記携帯端末は、前記利用券からの前記認証情報と前記アドレス情報とを受信するための認証アドレス情報受信手段と、
前記認証アドレス情報受信手段で受信した該アドレス情報の前記ネットワークアドレスに該当する前記提供サーバに前記認証情報と前記端末情報とを送信するための認証端末情報送信手段と、
前記提供サーバから、前記認証端末情報送信手段で送信した前記端末情報の前記機種種別に基づいて、前記認証情報を付加した前記通信プログラムを受信するための第３通信プログラム受信手段とを更に備えていることを特徴とする請求項１乃至４の何れか１つに記載の公衆無線ＬＡＮ接続サービス装置。
【請求項７】
前記利用券、又は前記発券機は、公衆無線ＬＡＮに接続可能なエリア、又は前記利用者が利用する商業施設で利用することを特徴とする請求項１乃至６の何れか１つに記載の公衆無線ＬＡＮ接続サービス装置。
【請求項８】
前記通信ネットワークは、携帯電話網又はＰＨＳ(Personal Handy-phone System)網であることを特徴とする請求項６記載の公衆無線ＬＡＮ接続サービス装置。
【請求項９】
無線ＩＣインタフェース部と携帯端末の機種種別を含む端末情報を少なくとも登録するため端末メモリ部とを備えた利用者の携帯端末と、当該携帯端末に通信関連の設定を行うために、無線ＩＣタグに無線ＩＣインタフェース部とメモリ部とを備えた利用券と、該利用券を発行する発券機とから少なくとも構成されていて、前記携帯端末の利用者に前記通信関連の設定サービスを提供する公衆無線ＬＡＮ接続サービス方法であって、
前記携帯端末の機種種別毎に対応した前記通信関連の通信プログラムを前記発券機に予め登録しておく通信プログラム登録ステップと、
前記利用者が前記利用券を購入する際に、前記通信プログラムを前記利用券の前記メモリ部に登録し、該利用券を発行するための第1利用券発行ステップと、
前記端末情報を前記利用券に送信するための第1端末情報送信ステップと、
前記携帯端末からの前記端末情報を受信し、該端末情報の前記機種種別に基づいて、前記メモリ部から対応する前記通信プログラムを取得し、該通信プログラムを前記携帯端末に送信するための第1通信プログラム送信ステップと、
前記通信プログラム送信ステップで送信した前記通信プログラムを受信して、該通信プログラムを前記端末メモリ部に登録すると共に、該通信プログラムを起動して当該携帯端末に前記通信関連の設定を行うための通信関連設定ステップとを実行することを特徴とする公衆無線ＬＡＮ接続サービス方法。
【請求項１０】
前記発券機は、前記利用者の認証情報を生成して管理する認証サーバと通信ネットワークを介して接続され、
前記第1利用券発行ステップは、前記利用者が前記利用券を購入する際に、前記認証サーバに対して、前記認証情報の生成を要求し、生成した認証情報を受信して、該認証情報を付加した前記通信プログラムを前記利用券の前記メモリ部に登録し、該利用券を発行することを含み、
前記端末情報を前記利用券に送信するための第1端末情報送信ステップを実行することを特徴とする請求項９記載の公衆無線ＬＡＮ接続サービス方法。
【請求項１１】
前記携帯端末は、通信ネットワーク上の複数の装置と接続されたアクセスポイントと双方向通信を行うための無線ＬＡＮインタフェース部を更に備え、
前記アクセスポイントは、前記携帯端末と双方向通信を行うための無線ＬＡＮインタフェース部を備え、
前記通信関連設定ステップからの前記通信関連の設定完了通知に応答して、前記通信プログラムが前記アクセスポイントに接続するためのＡＰ接続ステップと、
前記ＡＰ接続ステップからの前記接続完了通知を応答して、前記通信プログラムに付加された前記認証情報を前記アクセスポイントに送信するための認証情報送信ステップと、
前記携帯端末からの前記認証情報を受信して、該認証情報を前記認証サーバに送信するための認証要求ステップと、
前記認証サーバからの前記認証情報に対する認証結果情報を受信して、該認証結果情報を該認証結果情報が属する前記携帯端末に送信するための認証結果情報送信ステップとを実行することを特徴とする請求項９又は１０記載の公衆無線ＬＡＮ接続サービス方法。
【請求項１２】
前記携帯端末の前記端末情報は、前記携帯端末を他の前記携帯端末と区分した端末識別コードを更に含み、
前記利用券の前記メモリ部は、前記第1通信プログラム送信ステップで、前記携帯端末からの前記端末情報を最初に受信した際に、取得した前記端末識別コードを更に含み、
前記通信プログラム送信ステップは、前記携帯端末からの前記端末情報を受信した際に、該端末情報の前記端末識別コードと前記メモリ部の前記端末識別コードとを照合するための端末情報照合ステップを実行し、
該端末情報照合ステップの照合結果が一致の場合のみ、受信した前記端末情報の前記機種種別に基づいて、前記メモリ部から対応する前記通信プログラムを取得し、該通信プログラムを前記携帯端末に送信することを実行し、前記端末情報照合結果が不一致の場合は、前記通信プログラムを前記携帯端末に送信しないことを特徴とする請求項９、１０又は乃至１１の何れか１つに記載の公衆無線ＬＡＮ接続サービス方法。
【請求項１３】
前記発券機は、前記携帯端末と双方向通信を行うための無線ＩＣインタフェース部を備え、
前記携帯端末は、前記発券機と双方向通信を行うための無線ＩＣインタフェース部を備え、
前記利用者が前記利用券を購入する際に、前記認証サーバに対して、前記認証情報の生成を要求し、生成した認証情報を受信して、該認証情報を前記利用券の前記メモリ部に登録し、該利用券を発行するための第２利用券発行ステップと、
前記利用券からの前記認証情報を受信するための認証情報受信ステップと、
前記認証情報受信ステップで受信した前記認証情報と前記端末情報とを前記発券機に送信するための第２端末情報送信手段ステップと、
前記携帯端末からの前記認証情報と前記端末情報とを受信して、該端末情報の前記機種種別に基づいて、対応する前記通信プログラムを取得し、該通信プログラムに受信した前記認証情報を付加して前記携帯端末に送信するための第２通信プログラム送信ステップとを実行することを特徴とする請求項９乃至１２の何れか１つに記載の公衆無線ＬＡＮ接続サービス方法。
【請求項１４】
前記携帯端末は、通信ネットワークを介して、前記通信プログラムを提供元である提供サーバと更に接続され、
前記提供サーバは、前記携帯端末の機種種別毎に対応した前記通信関連の通信プログラムを備え、
前記発券機は、前記携帯端末が前記提供サーバに接続する際のネットワークアドレスを含むアドレス情報を更に含み、
前記利用者が前記利用券を購入する際に、前記認証サーバに対して、前記認証情報の生成を要求し、生成した認証情報を受信して、該認証情報と前記アドレス情報とを前記利用券の前記メモリ部に登録し、該利用券を発行するための第３利用券発行手段ステップと、
前記利用券からの前記認証情報と前記アドレス情報とを受信するための認証アドレス情報受信ステップと、
前記認証アドレス情報受信ステップで受信した該アドレス情報の前記ネットワークアドレスに該当する前記提供サーバに前記認証情報と前記端末情報とを送信するための認証端末情報送信ステップと、
前記提供サーバから、前記認証端末情報送信手段で送信した前記端末情報の前記機種種別に基づいて、前記認証情報を付加した前記通信プログラムを受信するための第３通信プログラム受信ステップとを実行することを特徴とする請求項９乃至１３の何れか１つに記載の公衆無線ＬＡＮ接続サービス方法。
【請求項１５】
前記利用券、又は前記発券機は、公衆無線ＬＡＮに接続可能なエリア、又は前記利用者が利用する商業施設で利用することを特徴とする請求項９乃至１４の何れか１つに記載の公衆無線ＬＡＮ接続サービス方法。
【請求項１６】
前記通信ネットワークは、携帯電話網又はＰＨＳ網であることを特徴とする請求項１４記載の公衆無線ＬＡＮ接続サービス方法。
【発明の詳細な説明】
【技術分野】
【０００１】
この発明は、公衆無線ＬＡＮ接続サービス装置及びその方法に係り、詳しくは、携帯端末が公衆無線ＬＡＮに接続するために、無線ＩＣタグを付加して当該携帯端末に通信関連の設定を行うための利用券と、該利用券を発行する発券機とを備え、前記携帯端末の利用者に前記通信関連の設定サービスを提供する公衆無線ＬＡＮ接続サービス装置及びその方法に関する。
【背景技術】
【０００２】
利用者が公衆無線ＬＡＮ接続（ホットスポット）サービスを利用するにあたって、予め、利用者の携帯端末に対して、ＷＥＰ(Wired Equivalent Privacy)キーやＥＳＳ−ＩＤ(Extended Service Set-Identity)等の無線ＬＡＮアダプタの設定、ＩＰ(Internet Protocol)アドレスやデフォルトゲートウェイ等のネットワークの設定、及び使用する通信アプリケーションプログラムのインストール等が行われている。
これらの無線ＬＡＮアダプタやネットワークの設定を行う際の留意点として、ホットスポットサービスを提供するプロバイダによっては、そのセキュリティポリシーと携帯端末の機器構成とによって、無線ＬＡＮアダプタやネットワークの設定内容が異なっており、また、無線ＬＡＮアダプタや携帯端末の種類によっては、設定する際の操作方法も異なっている。
また、特殊な通信アプリケーションを利用するには、ホットスポットサービスの事業者等が用意した専用の通信プログラムを別途インストールする必要があった。
これらの留意点は、ネットワーク機器の操作に精通している人であれば困難ではないかもしれないが、精通していない人にとっては困難であり、そのため、ホットスポットサービスを利用したくとも最終的に利用できないといった問題も発生している。また、たとえ、ネットワーク機器の操作に精通している人であっても、外出先でこれらの無線ＬＡＮアダプタやネットワークの設定を正確に行うことは容易ではなく、大きな障害となっていた。そのため、ネットワーク機器の操作に精通していない人に対しては、精通している人の支援を仰ぐことなく、また、ネットワーク機器の操作に精通している人に対しては、外出先でもこれらの設定を容易に行うための手段や方法が望まれていた。
【０００３】
従来より、この種の手段や方法としては、特許文献１及び特許文献２等に記載のものが知られている。
まず、特許文献１に記載の「無線ＬＡＮ端末の無線ＬＡＮへの参加制御方法および無線ＬＡＮ基地局装置並びに無線ＬＡＮ端末装置」は、無線ＬＡＮ端末に付加された無線タグの認証情報に基づいて、無線基地局からの複数の無線ＬＡＮの構成情報を無線ＬＡＮ端末に送信することによって、無線ＬＡＮ端末の使用者にＬＡＮ構成を意識させることなく、また、無線ＬＡＮ上のリソース等の安全性を脅かされることなく、複数の無線ＬＡＮの何れかに無線ＬＡＮ端末を接続する構成となっている。
【０００４】
また、特許文献２に記載の「ネットワーク接続サービス提供支援方法」は、コンピュータがサービス提供システムにアクセスするために、コンピュータの設定ファイルを書き換えるためのオンラインサインアップ用のプログラムを提供することによって、ネットワークの利用に関するサービスの提供を容易にし、コンピュータの知識が少ない者でも比較的容易にネットワークへのアクセスを可能にする構成となっている。
【０００５】
【特許文献１】特開２００３−１０１５４５号公報（第１−８頁）
【特許文献２】特開２００３−１７８１４４号公報（第１−２８頁）
【特許文献３】特開２００２−３５３８５２号公報
【発明の開示】
【発明が解決しようとする課題】
【０００６】
ところで、特許文献１の構成にあっては、工場内等の限定された条件での利用が前提であり、最大のネックは、予め無線タグを端末に取り付けておく必要があるため、外出先で公衆無線ＬＡＮ接続サービスを利用するのに適していないことと、無線基地局からの複数の無線ＬＡＮの構成情報を無線ＬＡＮ端末に送信して取得しているため、接続を行う必要のない無線ＬＡＮの構成情報も無線ＬＡＮ端末のメモリに登録され、メモリの有効利用が図れないことと、無線ＬＡＮ端末に付加された無線タグを紛失した場合等は、第三者に無線タグを不正に利用される危惧が含まれている、という欠点もある。
また、特許文献２の構成にあっては、オンラインサインアップ用のプログラムの提供対象先をコンピュータに限定しているため、携帯電話機等の小型携帯機器あるいは組み込み機器の場合は、ＣＤ−ＲＯＭ(Compact Disc-Read Only Memory)やＵＳＢ(Universal Serial Bus)メモリ等の外部メディアのインタフェースを具備しないものも多く、プログラムをインストールできない場合が発生する。また、インストール作業は、人が多く介在して煩雑である。また、機種や機器構成によって、無線ＬＡＮアダプタやネットワークの設定内容が異なる場合には適用できない、という欠点もある。
【０００７】
この発明は、上述の事情に鑑みてなされたもので、利用者の携帯端末が公衆無線ＬＡＮに接続するために、携帯端末に無線ＬＡＮアダプタやネットワークの設定を行う際に、利用者の運用面について、これらの設定操作を行わせることなく、携帯端末の資源面については、使用されるメモリサイズを必要最小限に抑え、セキュリティ面においても、安全が確保された公衆無線ＬＡＮ接続サービス装置及びその方法を提供することを目的としている。
【課題を解決するための手段】
【０００８】
上記課題を解決するために、請求項１記載の発明は、携帯端末が公衆無線ＬＡＮ(Local Area Network)に接続するために、無線ＩＣ(Integrated Circuit)タグを付加して当該携帯端末に通信関連の設定を行うための利用券と、該利用券を発行する発券機とを備え、前記携帯端末の利用者に前記通信関連の設定サービスを提供する公衆無線ＬＡＮ接続サービス装置に係り、前記利用券は、前記携帯端末と双方向通信を行うための無線ＩＣインタフェース部と、メモリ部とを備え、前記発券機は、前記利用者の認証情報を生成して管理する認証サーバと通信ネットワークを介して接続され、前記携帯端末の機種種別毎に対応した前記通信関連の通信プログラムと、前記利用者が前記利用券を購入する際に、前記通信プログラムを前記利用券の前記メモリ部に登録し、該利用券を発行するための第1利用券発行手段とを備え、前記携帯端末は、前記利用券と双方向通信を行うための無線ＩＣインタフェース部と、当該携帯端末の機種種別を含む端末情報を少なくとも登録するため端末メモリ部と、前記端末情報を前記利用券に送信するための第1端末情報送信手段とを備え、また、前記利用券は、前記携帯端末からの前記端末情報を受信し、該端末情報の前記機種種別に基づいて、前記メモリ部から対応する前記通信プログラムを取得し、該通信プログラムを前記携帯端末に送信するための第1通信プログラム送信手段を更に備え、また、前記携帯端末は、前記第1通信プログラム送信手段で送信した前記通信プログラムを受信して、該通信プログラムを前記端末メモリ部に登録すると共に、該通信プログラムを起動して当該携帯端末に前記通信関連の設定を行うための通信関連設定手段を更に備えてなることを特徴としている。
【０００９】
上記課題を解決するために、請求項２記載の発明は、請求項１記載の公衆無線ＬＡＮ接続サービス装置に係り、前記発券機は、前記利用者の認証情報を生成して管理する認証サーバと通信ネットワークを介して接続され、
前記第1利用券発行手段は、前記利用者が前記利用券を購入する際に、前記認証サーバに対して、前記認証情報の生成を要求し、生成した認証情報を受信して、該認証情報を付加した前記通信プログラムを前記利用券の前記メモリ部に登録し、該利用券を発行することを特徴としている。
【００１０】
また、請求項３記載の発明は、請求項１又は２記載の公衆無線ＬＡＮ接続サービス装置に係り、前記携帯端末は、通信ネットワーク上の複数の装置と接続されたアクセスポイントと双方向通信を行うための無線ＬＡＮインタフェース部と、前記通信関連設定手段からの前記通信関連の設定完了通知に応答して、前記通信プログラムが前記アクセスポイントに接続するためのＡＰ接続手段と、前記ＡＰ接続手段からの前記接続完了通知を応答して、前記通信プログラムに付加された前記認証情報を前記アクセスポイントに送信するための認証情報送信手段とを更に備え、前記アクセスポイントは、前記携帯端末と双方向通信を行うための無線ＬＡＮインタフェース部と、前記携帯端末からの前記認証情報を受信して、該認証情報を前記認証サーバに送信するための認証要求手段と、前記認証サーバからの前記認証情報に対する認証結果情報を受信して、該認証結果情報を該認証結果情報が属する前記携帯端末に送信するための認証結果情報送信手段とを備えていることを特徴としている。
【００１１】
また、請求項４記載の発明は、請求項１１、２又は３の何れか１つに記載の公衆無線ＬＡＮ接続サービス装置に係り、前記携帯端末の前記端末情報は、前記携帯端末を他の前記携帯端末と区分した端末識別コードを更に含み、前記利用券の前記メモリ部は、前記第1通信プログラム送信手段で、前記携帯端末からの前記端末情報を最初に受信した際に、取得した前記端末識別コードを更に含み、前記第1通信プログラム送信手段は、前記携帯端末からの前記端末情報を受信した際に、該端末情報の前記端末識別コードと前記メモリ部の前記端末識別コードとを照合するための端末情報照合手段を更に含み、該端末情報照合手段の照合結果が一致の場合のみ、受信した前記端末情報の前記機種種別に基づいて、前記メモリ部から対応する前記通信プログラムを取得し、該通信プログラムを前記携帯端末に送信し、前記端末情報照合結果が不一致の場合は、前記通信プログラムを前記携帯端末に送信しないことを更に含んでいることを特徴としている。
【００１２】
また、請求項５記載の発明は、請求項１乃至４の何れか１つに記載の公衆無線ＬＡＮ接続サービス装置に係り、前記発券機は、前記携帯端末と双方向通信を行うための無線ＩＣインタフェース部と、前記利用者が前記利用券を購入する際に、前記認証サーバに対して、前記認証情報の生成を要求し、生成した認証情報を受信して、該認証情報を前記利用券の前記メモリ部に登録し、該利用券を発行するための第２利用券発行手段とを備え、前記携帯端末は、前記発券機と双方向通信を行うための無線ＩＣインタフェース部と、前記利用券からの前記認証情報を受信するための認証情報受信手段と、前記認証情報受信手段で受信した前記認証情報と前記端末情報とを前記発券機に送信するための第２端末情報送信手段とを備え、
また、前記発券機は、前記携帯端末からの前記認証情報と前記端末情報とを受信して、該端末情報の前記機種種別に基づいて、対応する前記通信プログラムを取得し、該通信プログラムに受信した前記認証情報を付加して前記携帯端末に送信するための第２通信プログラム送信手段を備えていることを特徴としている。
【００１３】
また、請求項６記載の発明は、請求項１乃至４の何れか１つに記載の公衆無線ＬＡＮ接続サービス装置に係り、前記携帯端末は、通信ネットワークを介して、前記通信プログラムを提供元である提供サーバと更に接続され、前記提供サーバは、前記携帯端末の機種種別毎に対応した前記通信関連の通信プログラムを備え、
前記発券機は、前記携帯端末が前記提供サーバに接続する際のネットワークアドレスを含むアドレス情報と、前記利用者が前記利用券を購入する際に、前記認証サーバに対して、前記認証情報の生成を要求し、生成した認証情報を受信して、該認証情報と前記アドレス情報とを前記利用券の前記メモリ部に登録し、該利用券を発行するための第３利用券発行手段とを備え、前記携帯端末は、前記利用券からの前記認証情報と前記アドレス情報とを受信するための認証アドレス情報受信手段と、前記認証アドレス情報受信手段で受信した該アドレス情報の前記ネットワークアドレスに該当する前記提供サーバに前記認証情報と前記端末情報とを送信するための認証端末情報送信手段と、前記提供サーバから、前記認証端末情報送信手段で送信した前記端末情報の前記機種種別に基づいて、前記認証情報を付加した前記通信プログラムを受信するための第３通信プログラム受信手段とを更に備えていることを特徴としている。
【００１４】
また、請求項７記載の発明は、請求項１乃至６の何れか１つに記載の公衆無線ＬＡＮ接続サービス装置に係り、前記利用券、又は前記発券機は、公衆無線ＬＡＮに接続可能なエリア、又は前記利用者が利用する商業施設で利用することを特徴としている。
【００１５】
また、請求項８記載の発明は、請求項６記載の公衆無線ＬＡＮ接続サービス装置に係り、前記通信ネットワークは、携帯電話網又はＰＨＳ(Personal Handy-phone System)網であることを特徴としている。
【００１６】
また、請求項９記載の発明は、無線ＩＣインタフェース部と携帯端末の機種種別を含む端末情報を少なくとも登録するため端末メモリ部とを備えた利用者の携帯端末と、当該携帯端末に通信関連の設定を行うために、無線ＩＣインタフェース部とメモリ部とを備えた利用券と、該利用券を発行する発券機とから少なくとも構成されていて、前記携帯端末の利用者に前記通信関連の設定サービスを提供する公衆無線ＬＡＮ接続サービス方法に係り、前記携帯端末の機種種別毎に対応した前記通信関連の通信プログラムを前記発券機に予め登録しておく通信プログラム登録ステップと、前記利用者が前記利用券を購入する際に、前記通信プログラムを前記利用券の前記メモリ部に登録し、該利用券を発行するための第1利用券発行ステップと、前記端末情報を前記利用券に送信するための第1端末情報送信ステップと、前記携帯端末からの前記端末情報を受信し、該端末情報の前記機種種別に基づいて、前記メモリ部から対応する前記通信プログラムを取得し、該通信プログラムを前記携帯端末に送信するための第1通信プログラム送信ステップと、前記第1通信プログラム送信ステップで送信した前記通信プログラムを受信して、該通信プログラムを前記端末メモリ部に登録すると共に、該通信プログラムを起動して当該携帯端末に前記通信関連の設定を行うための通信関連設定ステップとを実行することを特徴としている。
【００１７】
また、請求項１０記載の発明は、請求項９記載の公衆無線ＬＡＮ接続サービス方法に係り、前記発券機は、前記利用者の認証情報を生成して管理する認証サーバと通信ネットワークを介して接続され、
前記第1利用券発行ステップは、前記利用者が前記利用券を購入する際に、前記認証サーバに対して、前記認証情報の生成を要求し、生成した認証情報を受信して、該認証情報を付加した前記通信プログラムを前記利用券の前記メモリ部に登録し、該利用券を発行することを含み、
前記端末情報を前記利用券に送信するための第1端末情報送信ステップを実行することを特徴としている。
【００１８】
また、請求項１１記載の発明は、請求項９又は１０記載の公衆無線ＬＡＮ接続サービス方法に係り、前記携帯端末は、通信ネットワーク上の複数の装置と接続されたアクセスポイントと双方向通信を行うための無線ＬＡＮインタフェース部を更に備え、前記アクセスポイントは、前記携帯端末と双方向通信を行うための無線ＬＡＮインタフェース部を備え、前記通信関連設定ステップからの前記通信関連の設定完了通知に応答して、前記通信プログラムが前記アクセスポイントに接続するためのＡＰ接続ステップと、前記ＡＰ接続ステップからの前記接続完了通知を応答して、前記通信プログラムに付加された前記認証情報を前記アクセスポイントに送信するための認証情報送信ステップと、前記携帯端末からの前記認証情報を受信して、該認証情報を前記認証サーバに送信するための認証要求ステップと、前記認証サーバからの前記認証情報に対する認証結果情報を受信して、該認証結果情報を該認証結果情報が属する前記携帯端末に送信するための認証結果情報送信ステップとを実行することを特徴としている。
【００１９】
また、請求項１２記載の発明は、請求項９、１０又は１１の何れか１つに記載の公衆無線ＬＡＮ接続サービス方法に係り、前記携帯端末の前記端末情報は、前記携帯端末を他の前記携帯端末と区分した端末識別コードを更に含み、前記利用券の前記メモリ部は、前記第1通信プログラム送信ステップで、前記携帯端末からの前記端末情報を最初に受信した際に、取得した前記端末識別コードを更に含み、前記第1通信プログラム送信ステップは、前記携帯端末からの前記端末情報を受信した際に、該端末情報の前記端末識別コードと前記メモリ部の前記端末識別コードとを照合するための端末情報照合ステップを実行し、該端末情報照合ステップの照合結果が一致の場合のみ、受信した前記端末情報の前記機種種別に基づいて、前記メモリ部から対応する前記通信プログラムを取得し、該通信プログラムを前記携帯端末に送信することを実行し、前記端末情報照合結果が不一致の場合は、前記通信プログラムを前記携帯端末に送信しないことを特徴としている。
【００２０】
また、請求項１３記載の発明は、請求項９乃至１２の何れか１つに記載の公衆無線ＬＡＮ接続サービス方法に係り、前記発券機は、前記携帯端末と双方向通信を行うための無線ＩＣインタフェース部を備え、前記携帯端末は、前記発券機と双方向通信を行うための無線ＩＣインタフェース部を備え、前記利用者が前記利用券を購入する際に、前記認証サーバに対して、前記認証情報の生成を要求し、生成した認証情報を受信して、該認証情報を前記利用券の前記メモリ部に登録し、該利用券を発行するための第２利用券発行ステップと、前記利用券からの前記認証情報を受信するための認証情報受信ステップと、前記認証情報受信ステップで受信した前記認証情報と前記端末情報とを前記発券機に送信するための第２端末情報送信手段ステップと、前記携帯端末からの前記認証情報と前記端末情報とを受信して、該端末情報の前記機種種別に基づいて、対応する前記通信プログラムを取得し、該通信プログラムに受信した前記認証情報を付加して前記携帯端末に送信するための第２通信プログラム送信ステップとを実行することを特徴としている。
【００２１】
また、請求項１４記載の発明は、請求項９乃至１３の何れか１つに記載の公衆無線ＬＡＮ接続サービス方法に係り、前記携帯端末は、通信ネットワークを介して、前記通信プログラムを提供元である提供サーバと更に接続され、前記提供サーバは、前記携帯端末の機種種別毎に対応した前記通信関連の通信プログラムを備え、
前記発券機は、前記携帯端末が前記提供サーバに接続する際のネットワークアドレスを含むアドレス情報を更に含み、前記利用者が前記利用券を購入する際に、前記認証サーバに対して、前記認証情報の生成を要求し、生成した認証情報を受信して、該認証情報と前記アドレス情報とを前記利用券の前記メモリ部に登録し、該利用券を発行するための第３利用券発行手段ステップと、前記利用券からの前記認証情報と前記アドレス情報とを受信するための認証アドレス情報受信ステップと、
前記認証アドレス情報受信ステップで受信した該アドレス情報の前記ネットワークアドレスに該当する前記提供サーバに前記認証情報と前記端末情報とを送信するための認証端末情報送信ステップと、前記提供サーバから、前記認証端末情報送信手段で送信した前記端末情報の前記機種種別に基づいて、前記認証情報を付加した前記通信プログラムを受信するための第３通信プログラム受信ステップとを実行することを特徴としている。
【００２２】
また、請求項１５記載の発明は、請求項９乃至１４の何れか１つに記載の公衆無線ＬＡＮ接続サービス方法に係り、前記利用券、又は前記発券機は、公衆無線ＬＡＮに接続可能なエリア、又は前記利用者が利用する商業施設で利用することを特徴としている。
【００２３】
また、請求項１６記載の発明は、請求項１４記載の公衆無線ＬＡＮ接続サービス方法に係り、前記通信ネットワークは、携帯電話網又はＰＨＳ網であることを特徴としている。
【発明の効果】
【００２４】
この発明の構成によれば、携帯端末と双方向通信が可能な利用券から利用者の携帯端末に機種種別に対応した通信プログラムを送信し、この通信プログラムが自動的に起動されて利用者の携帯端末に通信関連の設定を行う構成としているので、利用者は、携帯端末に通信関連の設定操作を自ら行う必要がないため、インストールの手間を省き、設定操作ミスもなく、利用者の運用面においては、非常に簡単、かつ正確な公衆無線ＬＡＮへの接続を可能にした公衆無線ＬＡＮ接続サービス装置及びその方法を提供することができる。
また、携帯端末と双方向通信が可能な利用券から利用者の携帯端末に機種種別に対応した通信プログラムのみを送信する構成としているので、利用者の携帯端末の資源面においては、携帯端末のメモリの有効利用を図った公衆無線ＬＡＮ接続サービス装置及びその方法を提供することができる。
【００２５】
また、この発明の別の構成によれば、利用券のメモリ部には、最初に利用券を利用した際に、利用した携帯端末の端末識別コードが登録され、次に利用券を利用する際に、メモリ部に登録されている端末識別コードと次に利用される携帯端末の端末識別コードとを照合して、照合結果が一致の場合のみ、通信プログラムを携帯端末に送信する構成としているので、セキュリティ面においては、利用券を紛失した場合等でも、他の利用者から不正に利用されることを防止した安全な公衆無線ＬＡＮ接続サービス装置及びその方法を提供することができる。
【００２６】
また、この発明の別の構成によれば、携帯端末に通信関連の設定を行う通信プログラムを発券機から取得して携帯端末に送信する構成としているので、利用券の資源面において、利用券に通信プログラムを登録する必要が無いため、利用券に付加される無線ＩＣのメモリサイズを大幅に縮小することを可能にした公衆無線ＬＡＮ接続サービス装置及びその方法を提供することができる。
【００２７】
また、この発明の別の構成によれば、携帯端末に通信関連の設定を行う通信プログラムを提供サーバから取得して携帯端末に送信する構成としているので、利用券の資源面において、利用券に通信プログラムを登録する必要が無いため、利用券に付加される無線ＩＣのメモリサイズを大幅に縮小し、更に、発券機が利用券を発行するために要する占有時間を削減すると共に、発券機の設置台数も低く抑えることを可能にした公衆無線ＬＡＮ接続サービス装置及びその方法を提供することができる。
【発明を実施するための最良の形態】
【００２８】
携帯端末が公衆無線ＬＡＮに接続するための携帯端末に無線ＬＡＮアダプタやネットワークの設定を行う際に、利用者の運用面について、これらの設定操作を行わせないという目的を、携帯端末と双方向通信が可能な利用券から利用者の携帯端末に機種種別に対応した通信プログラムを送信し、この通信プログラムが自動的に起動されて利用者の携帯端末に通信関連の設定を行う構成にすることによって実現した。
また、携帯端末の資源面について、使用されるメモリサイズを必要最小限に抑える、という目的を、携帯端末と双方向通信が可能な利用券から利用者の携帯端末に機種種別に対応した通信プログラムのみを送信する構成にすることによって実現した。
また、セキュリティ面において、安全を確保するという目的を、利用券のメモリ部には、最初に利用券を利用した際に、利用した携帯端末の端末識別コードが登録され、次に利用券を利用する際に、メモリ部に登録されている端末識別コードと次に利用される携帯端末の端末識別コードとを照合して、照合結果が一致の場合のみ、通信プログラムを携帯端末に送信する構成にすることによって実現した。
【実施例１】
【００２９】
まず、この発明の第１実施例について説明する。
図１は、この発明の第１実施例である公衆無線ＬＡＮ(Local Area Network)接続サービスシステムの構成を示すブロック図である。まず、システムの全体構成から説明する。
この例の公衆無線ＬＡＮ接続サービスシステムは、同図に示すように、無線ＬＡＮインタフェースによる通信手段と無線ＩＣ(Integrated Circuit)インタフェースによる通信手段とを備えた携帯端末１と、無線ＬＡＮインタフェースによる通信手段を備えたアクセスポイント２と、複数のアクセスポイント２や認証サーバ４、インターネット間を相互に接続する媒体となる通信ネットワークと、携帯端末１への認証情報を生成、及び携帯端末１の認証処理を行う認証サーバ４と、携帯端末１上で動作する通信プログラムを記録し、携帯端末１との間で無線ＩＣインタフェースによる通信手段を備えた利用券３と、利用券３に通信プログラムを書き込む手段を備えた発券機５とから構成されている。
【００３０】
次に、公衆無線ＬＡＮ接続サービスシステムの各構成について詳細に説明する。
携帯端末１は、ノートパソコン、ＰＤＡ(Personal Digital Assistants)、携帯電話機等の情報処理端末であり、図２のように、ＣＰＵ(Central Processing Unit)部１１、端末メモリ部１２、表示部１３、入力部１４、無線ＬＡＮインタフェース部１５、無線ＩＣインタフェース部１６から構成され、無線ＬＡＮインタフェース部１５によってアクセスポイント２を介した双方向通信を行う機能を備える。また、利用券３に組み込まれている無線ＩＣタグ３０と通信を行うための無線ＩＣインタフェース部１６を備え、無線ＩＣタグ３０との間でデータの送受信を行う機能を備えている。また、無線ＩＣインタフェース部１６を介して無線ＩＣタグ３０から読み込んだ通信プログラムを実行する機能を備える。
通信プログラムは、携帯端末１の通信関連の設定を行う機能と、公衆無線ＬＡＮを介した通信アプリケーションを提供する機能を備える。通信関連の設定を具体的にあげると、例えば、ＥＳＳ−ＩＤ(Extended Service Set-Identity)やＷＥＰ(Wired Equivalent Privacy)キー等の無線ＬＡＮアダプタに関するものやＩＰ(Internet Protocol)アドレスやＤＮＳ(Domain Name System)サーバアドレス等のＴＣＰ／ＩＰ(Transmission Control Protocol/Internet Protocol)といったネットワークに関するものが全て含まれる。通信アプリケーションとは、例えば、携帯端末どうしのＩＰ音声電話機能、ＴＶ(Television)電話機能、メール機能、チャット機能、或いはアミューズメントパークでのアトラクション予約機能等があげられる。ちなみに、ここであげた無線ＩＣインタフェース部１６とは、例えば、ＩＳＯ(International Organization for Standardization)１４４４３やＩＳＯ１５６９３等があげられるが、本発明においては、個別の方式まで限定する必要はない。
【００３１】
アクセスポイント２は、無線ＬＡＮインタフェースを備え、複数の携帯端末を接続収容し、通信ネットワーク上の他のアクセスポイント２や認証サーバ４等の装置と相互接続を行う機能を備える。また、不正なアクセスを防止するために携帯端末１から認証情報を取得し、認証サーバ４に対して認証要求を行う機能も備える。
【００３２】
利用券３は、公衆無線ＬＡＮ接続サービスを提供する事業者が発行するもので、利用者利用する商業施設で利用でき、無線ＩＣタグ３０が組み込まれている。無線ＩＣタグ３０は、携帯端末１及び発券機５との間でデータを送受信する機能を備えており、例えば、図３のように、アンテナ３１、無線制御部３２、クロック部３３、電源部３４、ロジック部３５、メモリ部３６から構成される。ここであげた無線ＩＣタグ３０のハードウェア構成は、本発明のサービス方法に直接的に関係するものではなく、あくまでも例であって特定されるものではない。
【００３３】
認証サーバ４は、利用者の情報を管理するサーバで、発券機５が利用券３を発行するにあたって、利用券３に組み込む認証情報を生成する機能、アクセスポイント２経由で受信する携帯端末１の認証要求に対して認証処理を行う機能を備えている。
【００３４】
発券機５は、利用券３を発行する装置で、認証サーバ４から取得した認証情報と、携帯端末１の設定情報等を含む通信プログラムを利用券３の無線ＩＣタグ３０に書き込む機能を備える。
【００３５】
次に、図４のフローチャートを参照して、この例の公衆無線ＬＡＮ接続サービスシステムの動作処理手順について説明する。
この例のシステムは、発券機５が備える第1利用券発行手段５１ａと、携帯端末１が備える第1端末情報送信手段１８ａと通信関連設定手段１８ｂとＡＰ接続手段１８ｃと認証情報送信手段１８ｄと、利用券３が備える第1通信プログラム送信手段３５ａと、アクセスポイント２が備える認証要求手段２１ａと認証結果情報送信手段２１ｂとから構成されており、各手段の実行順序は、第1利用券発行手段５１ａ、第1端末情報送信手段１８ａ、第1通信プログラム送信手段３５ａ、通信関連設定手段１８ｂ、ＡＰ接続手段１８ｃ、認証情報送信手段１８ｄ、認証要求手段２１ａ、認証結果情報送信手段２１ｂの順に実行される。以下、この順に各手段の処理手順を説明する。
【００３６】
まず、発券機５の第1利用券発行手段５１ａは、利用者が発券機５に対して利用券３の購入を要求する（ステップＳ１）際に、発券機５は、認証サーバ４に対して携帯端末１が公衆無線ＬＡＮに接続する際に必要となる認証情報の生成を要求し（ステップＡ２）、認証サーバ４からの生成した認証情報を受信して（ステップＡ３）、この認証情報を発券機５の通信プログラムに組み込んで、この通信プログラムを利用券３のメモリ部に書き込み（ステップＡ４）利用券３を発行する（ステップＡ５）。
次に、携帯端末１の第1端末情報送信手段１８ａは、無線ＩＣインタフェース部を介して、携帯端末１の機種種別等が特定できる端末情報を利用券３に送信する（ステップＡ６）。
次に、利用券３の第1通信プログラム送信手段３５ａは、携帯端末１からの端末情報を受信し、この端末情報の機種種別に基づいて、利用券３のメモリ部から対応する通信プログラムを選択し、この通信プログラムを携帯端末１に送信する準備を行う（ステップＡ７）。
次に、携帯端末１の通信関連設定手段１８ｂは、無線ＩＣインタフェース部を介して、第1通信プログラム送信手段３５ａで送信した通信プログラムを受信して、この通信プログラムを携帯端末１の端末メモリ部に登録すると共に、この通信プログラムを起動する（ステップＡ８）。通信プログラムは、起動するとまず始めに、携帯電話機１のＡＰＩを通して、携帯端末１に通信関連の設定を行い（ステップＡ９）。機種種別毎に設定方法が異なる場合が考えられるが、ステップＡ７において、携帯端末１の機種種別に対応した通信プログラムが選択されており、問題なく行われる。通信関係の設定とは、例えば、ＥＳＳ−ＩＤやＷＥＰキー等の無線ＬＡＮインタフェースやＴＣＰ／ＩＰ設定等があげられる。通信プログラムは、設定が完了すると通信関連の設定完了通知をＡＰ接続手段１８ｃに通知する。
次に、携帯端末１のＡＰ接続手段１８ｃは、通信関連設定手段１８ｂからの通信関連の設定完了通知に応答して、通信プログラムがアクセスポイント２に接続し（ステップＡ１０）、接続が完了すると接続完了通知を認証情報送信手段１８ｄに通知する。
次に、携帯端末１の認証情報送信手段１８ｄは、ＡＰ接続手段１８ｃからの接続完了通知を応答して、通信プログラムに付加された認証情報をアクセスポイント２に送信し、通信ネットワーク６への接続認証を要求する（ステップＡ１１）。
次に、アクセスポイント２の認証要求手段２１ａは、携帯端末１からの認証情報を受信して、この認証情報を認証サーバ４に送信して認証の要求を行う（ステップＡ１２）。
次に、アクセスポイント２の認証結果情報送信手段２１ｂは、認証サーバ４から、送信した認証情報に対する認証結果情報を受信して（ステップＡ１３）、この認証結果情報をこの認証結果情報が属する携帯端末１に送信する（ステップＡ１４）。
次に、アクセスポイント２からの認証結果情報を受信した携帯端末１は、認証結果が「ＯＫ」であれば、アクセスポイント２及び通信ネットワーク６を介して通信を実行する（ステップＡ１５）。
【００３７】
このように、この第１実施例の構成によれば、携帯端末１と双方向通信が可能な無線ＩＣインタフェースにより、利用券３から利用者の携帯端末１に機種種別に対応した通信プログラムを送信し、この通信プログラムが自動的に起動されて利用者の携帯端末１に通信関連の設定を行う構成としているので、利用者は、携帯端末１に通信関連の設定操作を自ら行う必要がないため、インストールの手間を省き、設定操作ミスもなく、利用者の運用面においては、非常に簡単、かつ正確な公衆無線ＬＡＮへの接続を可能にした公衆無線ＬＡＮ接続サービスシステムを提供することができる。
また、携帯端末１と双方向通信が可能な無線ＩＣインタフェースにより、利用券３から利用者の携帯端末１に機種種別に対応した通信プログラムのみを送信する構成としているので、利用者の携帯端末１の資源面においては、携帯端末１のメモリの有効利用を図った公衆無線ＬＡＮ接続サービスシステムを提供することができる。
【実施例２】
【００３８】
次に、この発明の第２実施例について説明する。
図５は、この発明の第２実施例である公衆無線ＬＡＮ接続サービスシステムの動作処理手順を示すフローチャートであり、この第２実施例の構成が、上記した第１実施例のそれ（図４）と大きく異なるところは、この第２実施例では、いったん携帯端末１が通信プログラムを読み出した後は、通信プログラムを読み出すことができないようにした点である。図５を参照して、図４の第１実施例と異なる処理手順について説明する。
この第２実施例のシステムは、利用券３が備える第1通信プログラム送信手段３５ａに端末情報照合手段３５ｂが含まれた構成になっており、携帯端末１から端末情報を利用券３に送信するまでの処理手順（ステップＢ１〜Ｂ６）は、第１実施例と同様である。
【００３９】
携帯端末１の端末情報には、携帯端末１を他の携帯端末と区分した端末識別コードが含まれており、第1通信プログラム送信手段３５ａで、携帯端末１からの端末情報を受信した際に、端末情報を始めて受信したか否かを判断し（ステップＢ７）、初めての場合は、利用券３のメモリ部に取得した端末識別コードが登録する（ステップＢ８）。
次に、利用券３の第1通信プログラム送信手段３５ａに含まれている端末情報照合手段３５ｂは、携帯端末１からの端末情報１を受信した際に、この端末情報の端末識別コードと利用券３のメモリ部の端末識別コードとを照合する（ステップＢ９）。端末情報照合手段３５ｂの照合結果が一致の場合のみ、受信した端末情報の機種種別に基づいて、利用券３のメモリ部から対応する通信プログラムを取得し、この通信プログラムを携帯端末１に送信する準備を行い（ステップＢ１０）、端末情報照合結果が不一致の場合は、通信プログラムを携帯端末１に送信しない。すなわち、携帯端末１からの通信プログラム読み出し要求があった場合でも送信しない。
この場合の端末情報には、単に機種種別がわかるだけではなく、端末固体を識別できるような情報を含むこととする。例えば、端末識別コードとして、携帯端末１の無線ＬＡＮインタフェース部がもつＭＡＣアドレスとしてもよい。
これ以降の処理手順（ステップＢ１１〜Ｂ１８）は、第１実施例と同様である。
【００４０】
このように、この第２実施例の構成によれば、利用券３のメモリ部には、最初に利用券３を利用した際に、利用した携帯端末１の端末識別コードが登録され、次に利用券３を利用する際に、利用券３のメモリ部に登録されている端末識別コードと次に利用される携帯端末１の端末識別コードとを照合して、照合結果が一致の場合のみ、通信プログラムを携帯端末１に送信する構成としているので、セキュリティ面においては、利用券３を紛失した場合等でも、他の利用者から不正に利用されることを防止した安全な公衆無線ＬＡＮ接続サービスシステムを提供することができる。
【実施例３】
【００４１】
次に、この発明の第３実施例について説明する。
図６は、この発明の第３実施例である公衆無線ＬＡＮ接続サービスシステムの動作処理手順を示すフローチャートであり、この第３実施例の構成が、上記した第１実施例のそれ（図４）と大きく異なるところは、発券機５に無線ＩＣインタフェース機能を持たせ、携帯端末１は、通信プログラムを発券機５から読み出すようにした点である。図６を参照して、図４の第１実施例と異なる処理手順について説明する。
この第３実施例のシステムは、発券機５は、携帯端末１と双方向通信を行うための無線ＩＣインタフェース部と第1利用券発行手段５１ａに代わる第２利用券発行手段５１ｂと第1通信プログラム送信手段３５ａに代わる第２通信プログラム送信手段５１ｃとを備えており、携帯端末１は、発券機５と双方向通信を行うための無線ＩＣインタフェース部と認証情報受信手段１８ｅと第1端末情報送信手段１８ａに代わる第２端末情報送信手段１８ｆとを備えた構成になっており、発券機５が認証サーバ４から認証情報を取得するまでの処理手順（ステップＣ１〜Ｃ３）は、第１実施例と同様である。
【００４２】
発券機５の第２利用券発行手段５１ｂは、利用者が利用券３を購入する際に、認証サーバ４に対して、認証情報の生成を要求し（ステップＣ２）、生成した認証情報を受信して（ステップＣ３）、この認証情報を利用券３のメモリ部に登録し（ステップＣ４）、この利用券３を発行する（ステップＣ５）。
次に、携帯端末１の認証情報受信手段１８ｅは、利用券３からの認証情報を受信する（ステップＣ６）。
次に、携帯端末１の第２端末情報送信手段１８ｆは、認証情報受信手段１８ｅで受信した認証情報と端末情報とを発券機５に送信して、通信プログラムの提供を要求する（ステップＣ７）。
次に、発券機５の第２通信プログラム送信手段５１ｃは、携帯端末１からの認証情報と端末情報とを受信して、この端末情報の機種種別に基づいて、対応する通信プログラムを取得し、この通信プログラムに受信した認証情報を付加して携帯端末１に送信する準備を行う（ステップＣ８）。
次に、携帯端末１の通信関連設定手段１８ｂは、無線ＩＣインタフェース部を介して、第２通信プログラム送信手段５１ｃで送信した通信プログラムを受信する（ステップＣ９）。
これ以降の処理手順（ステップＣ１０〜Ｃ１６）は、第１実施例と同様である。
【００４３】
このように、この第３実施例の構成によれば、携帯端末１に通信関連の設定を行う通信プログラムを利用券３に代えて、発券機５から取得して携帯端末１に送信する構成としているので、利用券３の資源面において、利用券３に通信プログラムを登録する必要が無いため、利用券３に付加される無線ＩＣのメモリサイズを大幅に縮小して、無線ＩＣタグのコストを抑えることを可能にした公衆無線ＬＡＮ接続サービスシステムを提供することができる。
【実施例４】
【００４４】
次に、この発明の第４実施例について説明する。
図８は、この発明の第４実施例である公衆無線ＬＡＮ接続サービスシステムの動作処理手順を示すフローチャートであり、この第４実施例の構成が、上記した第１実施例のそれ（図４）と大きく異なるところは、携帯端末１に携帯電話機やＰＨＳ(Personal Handy-phone System)等の第３の通信手段を持たせ、携帯端末１は、通信プログラムをその第３の通信手段からダウンロードするようにした点である。つまり、図７のように、携帯端末１は、利用券３から無線ＩＣインタフェースを介して、通信プログラムが登録されているネットワークアドレス（ＵＲＬ(Universal Resource Identifier)等）を取得する。携帯端末１は、第３の通信手段、すなわち、携帯電話網あるいはＰＨＳ網を通してそのアドレスにアクセスし、通信プログラムを取得し、そして実行する。
次に、図８を参照して、図４の第１実施例と異なる処理手順について説明する。
この第４実施例によるシステムは、携帯端末１は、携帯電話網またはＰＨＳ網を介して、通信プログラムを提供元である提供サーバ７と接続され、提供サーバ７は、発券機５に代えて、携帯端末１の機種種別毎に対応した通信関連の通信プログラムを備え、発券機５は、携帯端末１が提供サーバ７に接続する際のネットワークアドレスを含むアドレス情報と第1利用券発行手段５１ａに代わる第３利用券発行手段５１ｄとを備えており、携帯端末１は、認証アドレス情報受信手段１８ｇと第1端末情報送信手段１８ａに代わる認証アドレス情報受信手段１８ｇと認証端末情報送信手段１８ｈと第1通信プログラム送信手段３５ａに代わる第３通信プログラム受信手段１８ｉとを備えた構成になっており、発券機５が認証サーバ４から認証情報を取得するまでの処理手順（ステップＤ１〜Ｄ３）は、第１実施例と同様である。
【００４５】
発券機５の第３利用券発行手段５１ｄは、利用者が利用券３を購入する際に、認証サーバ４に対して、認証情報の生成を要求し（ステップＤ２）、生成した認証情報を受信して（ステップＤ３）、この認証情報とアドレス情報とを利用券３のメモリ部に登録し（ステップＤ４）、この利用券３を発行する（ステップＤ５）。
次に、携帯端末１の認証アドレス情報受信手段１８ｇは、利用券３からの認証情報とアドレス情報とを無線ＩＣインタフェースを通して受信する（ステップＤ６）。
次に、携帯端末１の認証端末情報送信手段１８ｈは、認証アドレス情報受信手段１８ｇで受信したアドレス情報のネットワークアドレス先に第３の通信手段、すなわち、携帯電話網またはＰＨＳ網を通じてアクセスし、提供サーバ７に認証情報と端末情報とを送信する（ステップＤ７）。
次に、携帯端末１の第３通信プログラム受信手段１８ｉは、提供サーバ７から、認証端末情報送信手段１８ｈで送信した端末情報の機種種別に基づいて、認証情報を付加した通信プログラムを受信する（ステップＤ８）。
これ以降の処理手順（ステップＤ９〜Ｄ１６）は、第１実施例と同様である。
【００４６】
このように、この第４実施例の構成によれば、携帯端末１に通信関連の設定を行う通信プログラムを利用券３に代えて、提供サーバ７から取得して携帯端末１に送信する構成としているので、利用券３の資源面において、利用券３に通信プログラムを登録する必要が無いため、利用券３に付加される無線ＩＣのメモリサイズを大幅に縮小し、更に、発券機５が利用券３を発行するために要する占有時間を削減すると共に、発券機５の設置台数も低く抑えられる点で、事業者にとってもメリットがあり、一方で発券機５の利用待ち時間が削減できるという点で利用者にとってもメリットがある公衆無線ＬＡＮ接続サービスシステムを提供することができる。
【００４７】
以上、この発明の実施例を、図面を参照して詳述してきたが、具体的な構成はこの実施例に限られるものではなく、この発明の要旨を逸脱しない範囲の設計変更等があってもこの発明に含まれる。
例えば、上述の第１実施例と第２実施例では、発券機５が第1利用券発行手段５１ａ、携帯端末１が第1端末情報送信手段１８ａ、利用券３が第1通信プログラム送信手段３５ａをそれぞれ備えた構成にし、第３実施例では、発券機５が第1利用券発行手段５１ａに代わる第２利用券発行手段５１ｂと第1通信プログラム送信手段３５ａに代わる第２通信プログラム送信手段５１ｃとを備え、携帯端末１が認証情報受信手段１８ｅと第1端末情報送信手段１８ａに代わる第２端末情報送信手段１８ｆとを備えた構成にし、第４実施例では、発券機５が第1利用券発行手段５１ａに代わる第３利用券発行手段５１ｄを備え、携帯端末１が認証アドレス情報受信手段１８ｇと第1端末情報送信手段１８ａに代わる認証アドレス情報受信手段１８ｇと認証端末情報送信手段１８ｈと第1通信プログラム送信手段３５ａに代わる第３通信プログラム受信手段１８ｉとを備えた構成にしたが、第１実施例から第４実施例が示すそれぞれの手段を全て備えた構成にして、携帯端末１の利用者が、必要に応じて、前記の全て備えた構成の中から何れか１つの実施例が示す手段を選択することができる構成にすることも可能である。
また、上述の第１実施例では、利用者が発券機５に対して利用券３の購入を要求する場合、利用者が発券機５を直接操作して利用券を購入するか、事業者側のオペレータが操作するかは特に限定されない。
また、上述の第２実施例では、携帯端末１を他の携帯端末と区分した端末識別コードとして、携帯端末１の無線ＬＡＮインタフェース部がもつＭＡＣアドレスを例にあげたが、他の携帯端末と区分できるユニークな識別コード等なら何でも良い。
【産業上の利用可能性】
【００４８】
通信プログラムを自動的に携帯端末１に組み込まれるように構成していることにより、一般的な携帯端末１に最初からインストールされている標準的な通信アプリケーションのための通信プログラム（例えば、Ｗｅｂブラウザやインターネットメール等）以外に、公衆無線ＬＡＮ接続サービスの事業者が独自の通信アプリケーションサービスを提供する場合に適用できる。例えば、アミューズメントパークにおけるアトラクション予約サービス等があげられる。
【図面の簡単な説明】
【００４９】
【図１】この発明の第１実施例である公衆無線ＬＡＮ接続サービスシステムの構成を示すブロック図である。
【図２】同携帯端末の構成を示すブロック図である。
【図３】同無線ＩＣタグの構成を示すブロック図である。
【図４】この発明の第１実施例である公衆無線ＬＡＮ接続サービスシステムの動作処理手順を示すフローチャートである。
【図５】この発明の第２実施例である公衆無線ＬＡＮ接続サービスシステムの動作処理手順を示すフローチャートである。
【図６】この発明の第３実施例である公衆無線ＬＡＮ接続サービスシステムの動作処理手順を示すフローチャートである。
【図７】同携帯端末の構成を示すブロック図である。
【図８】この発明の第４実施例である公衆無線ＬＡＮ接続サービスシステムの動作処理手順を示すフローチャートである。
【符号の説明】
【００５０】
１  携帯端末
１１  ＣＰＵ部
１２  端末メモリ部
１３  表示部
１４  入力部
１５  無線ＬＡＮインタフェース部
１６  無線ＩＣインタフェース部
１７  携帯電話又はＰＨＳインタフェース部
１８ａ  第1端末情報送信手段
１８ｂ  通信関連設定手段
１８ｃ  ＡＰ接続手段
１８ｄ  認証情報送信手段
１８ｅ  認証情報受信手段
１８ｆ  第２端末情報送信手段
１８ｇ  認証アドレス情報受信手段
１８ｈ  認証端末情報送信手段
１８ｉ  第３通信プログラム受信手段
２  アクセスポイント
２１ａ  認証要求手段
２１ｂ  認証結果情報送信手段
３  利用券
３０  無線ＩＣタグ
３１  アンテナ
３２  無線制御部
３３  クロック部
３４  電源部
３５  ロジック部
３５ａ  第1通信プログラム送信手段
３５ｂ  端末情報照合手段
３６  メモリ部
４  認証サーバ
５  発券機
５１ａ  第1利用券発行手段
５１ｂ  第２利用券発行手段
５１ｃ  第２通信プログラム送信手段
５１ｄ  第３利用券発行手段
６  通信ネットワーク
７  提供サーバ
【図１】
2005269267.tif 000003
【図２】
2005269267.tif 000004
【図３】
2005269267.tif 000005
【図４】
2005269267.tif 000006
【図５】
2005269267.tif 000007
【図６】
2005269267.tif 000008
【図７】
2005269267.tif 000009
【図８】
2005269267.tif 000010